(57)【要約】【課題】目尻部分、目の下部分、鼻や口の脇部分の小皺に一つで対応できるようにする為、顔全域を覆う形状にした化粧用具において、顔との間でフィット性に優れ、その上からマッサージした場合に皮膚の血行が改善され、小皺取りに効果的な化粧用具を提供することである。【解決手段】柔軟性樹脂を用いて顔を覆う形状に構成された化粧用具Ａであって、前記化粧用具Ａが顔に装着された際、その顔の窪部に対応する個所において、顔対向面側に凸部１が形成されてなり、かつ、前記凸部１が形成されている個所の厚みは凸部１が形成されていない個所の厚みより厚く形成されてなる。【選択図】    図２
2004255046.tif 000002
【特許請求の範囲】
【請求項１】
柔軟性樹脂を用いて顔を覆う形状に構成された化粧用具であって、
前記化粧用具が顔に装着された際、その顔の窪部に対応する個所において、顔対向面側に凸部が形成されてなり、
かつ、前記凸部が形成されている個所の厚みは凸部が形成されていない個所の厚みより厚く形成されてなる
ことを特徴とする化粧用具。
【請求項２】
柔軟性樹脂がシリコン樹脂であることを特徴とする請求項１の化粧用具。
【請求項３】
顔対向面側に溝が形成されてなることを特徴とする請求項１の化粧用具。
【発明の詳細な説明】
【０００１】
【発明の属する技術分野】
本発明は化粧用具に関する。
【０００２】
【発明が解決しようとする課題】
現在、目尻部分、目の下部分、或いは鼻や口の脇部分の小皺を取る為の化粧用具が提案されている。
【０００３】
この化粧用具は、図３，４に示す如くの形状をしたものである。すなわち、化粧用具Ｂは、略三日月形状に形成した厚みが一定のシリコン樹脂板である。すなわち、化粧用具Ｂは、その厚みが一定（約１ｍｍ程度）で、かつ、平らな平板状（長手方向に約４ｃｍ程度）のものである。
【０００４】
ところで、化粧用具Ｂを使っての小皺取りは、化粧用具Ｂの上から適度なマッサージ（繰り返しての押圧）を行うことによって実行される。すなわち、化粧用具Ｂの上からのマッサージを行うことによって、皮膚に刺激が与えられ、血行が改善され、これによって小皺が取れると言うのである。従って、マッサージ等の刺激が必要とされる。
【０００５】
尚、この小皺取りのマッサージを行うに際して、一箇所のみにおいて数分も続けてマッサージを行うことは、マッサージが「力を加える」−「加えた力を抜く」と言った単純な作業を繰り返すものである為、苦痛でもある。
【０００６】
そこで、例えばＡの個所において数回、次にＢの個所において数回、次にＣの個所において数回、次にＤの個所において数回、次にＥの個所において数回、そして元に戻ってＡの個所において数回、次にＢの個所において数回、次にＣの個所において数回、次にＤの個所において数回、次にＥの個所において数回、そして再度Ａの個所に戻ってと言ったように転々と移って行ってマッサージを行うのであれば、結果的には、長時間に亘って飽きることなく小皺取りが行えることになると思われた。
【０００７】
そこで、小皺が有ると思われる個所の全てに化粧用具Ｂを置き、上記のように転々と移って行ってマッサージすることを試みた。
【０００８】
しかしながら、化粧用具Ｂは、シリコン樹脂製であることから、比較的軟質で密着性があるとは言え、顔に幾つもの化粧用具Ｂを乗せた場合、ズレが出来やすい。
【０００９】
そこで、本願発明者は、図３，４に示すような小型のものでは無く、一枚で顔の略全域をカバーできる大きさのものを案出した。すなわち、図５に示されるフェイスマスクタイプの化粧用具Ｃを案出した。
【００１０】
ところで、化粧用具Ｂは小型なものであることから、平板状のものであっても問題はなかった。しかしながら、顔全域を覆う図５タイプのものになると、顔の凹凸表面に応じて適度な凸凹が必要である。従って、図５に示されるフェイスマスクタイプの化粧用具Ｃは、化粧用具Ｃの顔対向面側（内面側）の形状を、顔の凹凸に応じて凸凹形状としたものである。つまり、化粧用具Ｃを顔に乗せた場合、目尻部分、目の下部分、鼻や口の脇部分の窪部に対抗して、化粧用具Ｃの内面側には凸部が有るように成形されているものを作成した。
【００１１】
しかしながら、上記のような顔の凹凸形状に対応して凸凹を化粧用具Ｃに形成していても、化粧用具Ｃの凸部が顔の凹部（目尻部分、目の下部分、鼻や口の脇部分の窪部）にフィットしていないことに気付いた。そして、これでは、小皺を取る為に、つまりその上から適度なマッサージをして血の循環を良くして小皺を取ろうとしても、マッサージ効果が充分には発揮されず、小皺取りに充分な効果が奏されないであろうことが判って来た。
【００１２】
この原因についての究明が本願発明者によって鋭意なされた。その結果、次のことが判った。すなわち、化粧用具Ｃは、その内面側に凸が有っても、その厚さが、化粧用具Ｂの場合と同様、一定である為、化粧用具Ｃを引っ張って顔に乗せた場合、化粧用具Ｃの内面側の凹凸度は低下し、つまり伸びて平坦なものとなってしまい、これが為に目尻部分、目の下部分、鼻や口の脇部分の窪部と化粧用具Ｃとの間には隙間が出来てしまい、フィット性が低下し、化粧用具Ｃの上から適度なマッサージをして血の循環を良くして小皺を取ろうとしても、マッサージ効果が充分には発揮されず、小皺取りに充分な効果が奏されないのであろうと考えられた。
【００１３】
従って、本願発明が解決しようとする課題は、目尻部分、目の下部分、鼻や口の脇部分の小皺に一つで対応できるようにする為、顔全域を覆う形状にした化粧用具において、顔との間でフィット性に優れた化粧用具を提供することである。
【００１４】
そして、フィット性が良い為に、その上からマッサージした場合に皮膚の血行が改善され、小皺取りに効果的な化粧用具を提供することである。
【００１５】
【課題を解決するための手段】
前記の課題は、柔軟性樹脂を用いて顔を覆う形状に構成された化粧用具であって、
前記化粧用具が顔に装着された際、その顔の窪部に対応する個所において、顔対向面側に凸部が形成されてなり、
かつ、前記凸部が形成されている個所の厚みは凸部が形成されていない個所の厚みより厚く形成されてなる
ことを特徴とする化粧用具によって解決される。
【００１６】
特に、柔軟なシリコン樹脂を用いて顔を覆う形状に構成された化粧用具であって、
前記化粧用具が顔に装着された際、その顔の窪部に対応する個所において、顔対向面側に凸部が形成されてなり、
かつ、前記凸部が形成されている個所の厚みは凸部が形成されていない個所の厚みより厚く形成されてなる
ことを特徴とする化粧用具によって解決される。
【００１７】
すなわち、上記のように構成させていると、この化粧用具Ａを顔に装着した際、その顔の窪部（例えば、目尻部分、目の下部分、鼻や口の脇部分）に対応する個所において、顔対向面側に凸部を形成するのみでなく、この凸部が形成されている個所の厚みを凸部が形成されていない個所の厚みより厚く形成していたならば、この化粧用具Ａを引っ張って顔に装着した場合でも、前記凸部は引っ張られても平坦にはならず、依然として凸が維持されたままの形状であることから、フィット性が良好なのである。尚、顔に装着する場合、化粧用具Ａが両端において横に引っ張られるのは、化粧用具Ａは汎用品であって一人一人に応じて作られるものでは無く、従って化粧用具Ａが顔の大きさに比べて小さな場合もあること、又、引っ張られた方が顔にピタッとフイットして刺激感を与えることが出来るようになるからである。
【００１８】
従って、化粧用具Ａの凸部が顔の凹部（目尻部分、目の下部分、鼻や口の脇部分の窪部）にフィットしていて、両者の間に隙間が少ないことから、その上からのマッサージが良好になされ、小皺取りに充分な効果が奏されるのである。
【００１９】
又、例えば目尻部分のマッサージに飽きたならば、例えば目の下部分、或いは鼻や口の脇部分のマッサージへと移って行けば良いから、長時間に亘って行うことが出来る。
【００２０】
尚、顔に装着した場合に、顔の皮膚に刺激感を更に与える為、化粧用具Ａの顔対向面側には溝（凹凸）を形成しておくことが好ましい。
【００２１】
【発明の実施の形態】
図１及び図２は本発明になる化粧用具の一実施形態を示すもので、図１は本発明の化粧用具の平面図、図２は図１中Ｉ−Ｉ線での断面図である。
【００２２】
各図中、Ａは、皮膚との間での密着性に優れた軟質なシリコン樹脂を用いて顔全域（例えば、顔のおでこの部分から顎の部分に亘る全域）を覆うように形成されたフェイスマスクタイプの化粧用具である。尚、この化粧用具Ａにおいて、目が対応する部分や鼻が対応する部分は切り欠かれている。
【００２３】
この化粧用具Ａは、顔に装着した場合、図１中、一点鎖線で示される領域ａ（目尻部分）、領域ｂ（目の下部分）、領域ｃ（鼻や口の脇部分）等の部分が、図２からも判る通り、その厚さが厚いように形成されている。かつ、その領域ａ，ｂ，ｃにおいて、厚みを厚くした分だけ、内面側（装着時において、顔と対向する側）に凸部１が形成されていることになる。
【００２４】
すなわち、化粧用具Ａを顔に装着した場合、特に、横に引っ張られて装着された場合でも、各々の凸部１が目尻部分の窪部、目の下部分の窪部、鼻や口の脇部分の窪部において、皮膚を押圧してフィットするように領域ａ，ｂ，ｃ等では厚さが厚いように形成されているのである。つまり、凹凸の付け方として、厚みを一定にし、しかしながら立体的構造を取ることによって凹凸を付ける手法も考えられるが、本発明では厚みを一定にせず、凸に対応する部分では厚みを厚くする手法を採用したのである。これは、例えば目尻部分の窪部に対応する位置において、顔対向面側を凸に形成していても、顔に当たらない外面側を凹に形成と言った厚みが一定の場合には、横に引っ張ると凹凸が解消されるようになり、顔にフィットしない、特に目尻部分の窪部にはフィットしないようになったからである。これに対して、本発明の如くに形成していると、凸部形成位置において凹は無い為、横に引っ張った場合でも、凸が無くなることは無いからである。
【００２５】
尚、２は、凸部１の位置において形成された凹凸状の溝である。従って、化粧用具Ａを顔に装着した場合、凹凸溝２によって顔の皮膚には適度な刺激感が与えられる。
【００２６】
そして、本発明になる化粧用具Ａを顔に装着し、小皺が有る部分の上からマッサージをすることによって、化粧用具Ａの下にある皮膚には適度な刺激が与えられ、血行が良くなり、小皺除去に効果的である。
【００２７】
特に、化粧用具Ａは、例えば目尻部分、目の下部分、鼻や口の脇部分に対応する個所において、顔対向面側に凸部が有るように厚みを厚く形成していることから、化粧用具Ａと顔との間に隙間が出来難く、フィット性に優れていて、特に顔にピタッとフイットしていて、刺激感を効果的に与えることが出来、小皺取りに非常に優れている。
【００２８】
又、例えば目尻部分のマッサージに飽きたならば、例えば目の下部分、或いは鼻や口の脇部分のマッサージへと移って行くことが出来、長時間に亘って行うことが出来る。
【００２９】
【発明の効果】
例えば、目尻部分、目の下部分、鼻や口の脇部分の小皺に一つで対応できる。すなわち、顔全域を覆う形状にしたことから、一つの化粧用具で、例えば目尻部分、目の下部分、鼻や口の脇部分の小皺に一つで対応できる。従って、例えば目尻部分のマッサージに飽きたならば、例えば目の下部分、或いは鼻や口の脇部分のマッサージへと移って行くことが出来、長時間に亘って行うことが出来る。
【００３０】
そして、顔全域タイプにしたにも拘わらず、顔との間での一体性、すなわち顔との間でのフィット性に優れ、皮膚に刺激感を効果的に付与できる。その結果、小皺取りに極めて効果的である。
【図面の簡単な説明】
【図１】本発明の化粧用具の平面図
【図２】本発明の化粧用具の断面図
【図３】従来の化粧用具の平面図
【図４】従来の化粧用具の断面図
【図５】先行案出の化粧用具の平面図
【符号の説明】
Ａ      化粧用具
１      凸部
２      溝
【図１】
2004255046.tif 000003
【図２】
2004255046.tif 000004
【図３】
2004255046.tif 000005
【図４】
2004255046.tif 000006
【図５】
2004255046.tif 000007